(57)【要約】【課題】電池の回転防止および脱落防止に有効で、収納電池の外側ラベル面を一定方向に安定に保つことができる良好な保持性を備えるとともに、電池の収納および取り出しの作業性および利便性が良く、また、成型金型の低コスト化と、離型の円滑化による生産性および品質の向上が可能であり、さらに、電池の収納によるケースの変形を防止できるようにした電池用ブリスターケースを提供する。【解決手段】熱可塑性樹脂からなる透明薄板素材への成形加工によって複数個の電池１０を並べて収納する開放容器部２１が形成された電池用ブリスターケース２０であって、上記容器部２１の寸法ｗａ１，ｗｂ１が収納電池の寸法ｗａ２，ｗｂ２に対して小さく形成されているとともに、上記容器部２１の少なくとも一つの側面に沿って、容器部２１の開口面に対して垂直方向を向くＵ字状屈曲部２３が形成され、このＵ字状屈曲部２３が容器部２１内の収納電池１０を容器部２１側方から常時押圧するバネを形成している。【選択図】図１
2008117571.tif 000002
【特許請求の範囲】
【請求項１】
熱可塑性樹脂からなる透明薄板素材への成形加工によって複数個の電池を並べて収納する開放容器部が形成された電池用ブリスターケースにおいて、上記容器部の寸法が収納電池の寸法に対して小さく形成されているとともに、上記容器部の少なくとも一つの側面に沿って、容器部の開口面に対して垂直方向を向くＵ字状屈曲部が形成され、このＵ字状屈曲部が容器部内の収納電池を容器部側方から常時押圧して固定するバネを形成していることを特徴とする電池用ブリスターケース。
【請求項２】
請求項１において、上記容器部の外周囲を取り囲んでフランジ状の周縁部が形成され、その周縁部が台紙に貼着固定されることにより上記容器部の開口面が閉塞されていることを特徴とする電池用ブリスターケース。
【請求項３】
請求項１または２において、上記Ｕ字状屈曲部の片側面が上記容器部の側壁部を形成していることを特徴とする電池用ブリスターケース。
【請求項４】
請求項１〜３のいずれかにおいて、上記容器部の収納空間が略矩形状に形成されるとともに、その容器部の４方向の側面にそれぞれ上記Ｕ字状屈曲部が形成されていることを特徴とする電池用ブリスターケース。
【発明の詳細な説明】
【技術分野】
【０００１】
本発明は、複数個の電池を一つにまとめてディスプレイ包装する電池用ブリスターケースに関する。
【背景技術】
【０００２】
ＬＲ等の円筒型乾電池は通常、あらかじめ複数本ずつまとめて包装されて流通市場へ出荷されるが、その包装手段としてはブリスターケースが多用されている。このブリスターケースは、熱可塑性樹脂からなる透明薄板素材を成形加工したものであって、その成形加工により、複数個の電池を並べて収納する開放容器部が形成されている。
【０００３】
図３は従来の典型的な電池用ブリスターケースを示す。同図において、（ａ）はケース全体の斜視図、（ｂ）は（ａ）のＡ−Ａ断面（切断面）をそれぞれ示す。同図に示す電池用ブリスターケース２０１は、ペット樹脂等の熱可塑性樹脂からなる透明薄板素材に、真空金型成形加工により、開放容器部２１１を一体形成したものであって、その容器部２１１には複数個（４本）の円筒型乾電池１０を並べて収納する略矩形の収納空間が形成されている。
【０００４】
上記容器部２１１の外周囲はフランジ状の周縁部２２１で取り囲まれており、その周縁部２２１が台紙３０に貼着固定されることにより、容器部２１１の開口面が覆われ、内容物である電池１０が外部から透視可能な状態で閉じこめられる。
【０００５】
上記電池用ブリスターケース２０１では、容器部２１１内の電池１０を安定に保持するため、その容器部２１１の側壁に、容器部２１１の内側へ突出するリブ２３１が設けられている（たとえば、特許文献１，２参照）。
【０００６】
この電池用ブリスターケース２０１は、内容物である電池１０を外部から透視できるため、電池を展示・陳列状態で販売するのに好都合である。電池は、外観形状が規格化されて同じでも種類が多種多様化している。このため、陳列・販売用の電池包装には、外部から現品を直接、目視確認できるブリスターケースが重用されている。
【特許文献１】特開２０００−２８１１２９
【特許文献２】特開２００２−３４３３２１
【発明の開示】
【発明が解決しようとする課題】
【０００７】
しかしながら、上述した従来技術には、次のような問題のあることが本発明者らによってあきらかとされた。  
すなわち、上述した電池用ブリスターケース２０１には、商品価値を高めるために、電池１０がその外装ラベルの向きを揃えて並べられた状態で収納されるが、この収納電池１０の回転を防止し、かつ台紙３０を剥がした際などに電池１０が誤って脱落したりするのを防止するために、容器部２１１の内側へ突出するリブ２３１が設けられている。しかし、このリブ２３１は、容器部２１１を金型成形によって形成した際の離型を困難にするため、生産性を阻害してしまう。
【０００８】
また、そのリブ２３１が円滑な成形動作を妨げるため、肉厚や寸法等の品質のバラツキが大きくなってしまう。さらに、上記リブ２３１を形成するための成形金型は、形状および加工が複雑で高コストになってしまう。
【０００９】
容器部２１１内の電池１０を上記リブ２３１によって安定に保持させるためには、そのリブ２３１による容器部２１１内側への突出をある程度以上大きくする必要がある。しかし、リブ２３１の突出の大きさは離型が困難になるために限界があり、仮に大きくできた場合には、そのリブ２３１の突出が電池１０の収納および取り出しの際に障害物となって、作業性および利便性が悪くなってしまうという背反が生じる。
【００１０】
容器部２１１に収納した電池１０は、電池の種類や型番等を透視できるようにするため、さらには展示・陳列等の意匠的効果を高めるためにも、外側ラベル面の特定位置が常に同一方向を向いているように保持することが望ましい。
【００１１】
また、ブリスターケース２０１の容器部２１１に収納された電池１０の回転および脱落を防止する方法しては、その容器部２１１の寸法を収納電池１０の寸法に対して小さく形成することが考えられる。しかし、この場合は、容器部２１１内に電池１０を無理に押し込むことになるため、ブリスターケース２０１全体が電池１０の収納によって変形してしまう。この変形が生じると、たとえば台紙３０に安定に貼着できない、あるいは台紙３０が湾曲してしまうといった不都合が生じる。
【００１２】
本発明は以上のような問題を克服するものであって、その目的は、電池の回転防止および脱落防止に有効で、収納電池の外側ラベル面を一定方向に安定に保つことができる良好な保持性を備えるとともに、電池の収納および取り出しの作業性および利便性が良く、また、成型金型の低コスト化と、離型の円滑化による生産性および品質の向上が可能であり、さらに、電池の収納によるケースの変形を防止できるようにした電池用ブリスターケースを提供することにある。
【００１３】
本発明の上記以外の目的および構成については、本明細書の記述および添付図面にてあきらかにする。
【課題を解決するための手段】
【００１４】
本発明は次のような解決手段を提供する。  
（１）熱可塑性樹脂からなる透明薄板素材への成形加工によって複数個の電池を並べて収納する開放容器部が形成された電池用ブリスターケースにおいて、上記容器部の寸法が収納電池の寸法に対して小さく形成されているとともに、上記容器部の少なくとも一つの側面に沿って、容器部の開口面に対して垂直方向を向くＵ字状屈曲部が形成され、このＵ字状屈曲部が容器部内の収納電池を容器部側方から常時押圧して固定するバネを形成していることを特徴とする電池用ブリスターケース。  
（２）上記手段（１）において、上記容器部の外周囲を取り囲んでフランジ状の周縁部が形成され、その周縁部が台紙に貼着固定されることにより上記容器部の開口面が閉塞されていることを特徴とする電池用ブリスターケース。  
（３）上記手段（１）または（２）において、上記Ｕ字状屈曲部の片側面が上記容器部の側壁部を形成していることを特徴とする電池用ブリスターケース。  
（４）上記手段（１）〜（３）のいずれかにおいて、上記容器部の収納空間が略矩形状に形成されるとともに、その容器部の４方向の側面にそれぞれ上記Ｕ字状屈曲部が形成されていることを特徴とする電池用ブリスターケース。
【発明の効果】
【００１５】
電池の回転防止および脱落防止に有効で、収納電池の外側ラベル面を一定方向に安定に保つことができる良好な保持性を備えるとともに、電池の収納および取り出しの作業性および利便性が良く、また、成型金型の低コスト化と、離型の円滑化による生産性および品質の向上が可能であり、さらに、電池の収納によるケースの変形を防止できるようにした電池用ブリスターケースを提供することができる。
【００１６】
上記以外の作用／効果については、本明細書の記述および添付図面にてあきらかにする。
【発明を実施するための最良の形態】
【００１７】
図１は本発明による電池用ブリスターケース２０の一実施形態を示す。図１において、（ａ）は全体の平面図、（ｂ）はその斜視図をそれぞれ示す。また、図２は、図１に示したブリスターケース２０の断面図を示す。図２において、（ａ）は図１のＡ−Ａ断面（切断面）、（ｂ）は同図のＢ−Ｂ断面（切断面）をそれぞれ示す。
【００１８】
図１と図２で示す電池用ブリスターケース２０は、ペット樹脂等の熱可塑性樹脂からなる透明薄板素材への真空金型成形加工によって形成されたものであり、その成型加工により、複数個（４本）の円筒型乾電池１０を並べて収納する開放容器部２１が形成されている。
【００１９】
また、上記真空金型成形加工により、容器部２１の外周囲を取り囲んでフランジ状の周縁部２２が形成されている。その周縁部２２が台紙３０に貼着固定されることにより容器部２１の開口面が閉塞されている。
【００２０】
台紙３０は厚紙または合成樹脂薄板等を用いて作製され、必要に応じて吊り下げ用フック穴が穿設されている。
【００２１】
この実施形態では、容器部２１が略矩形状に形成されるとともに、その容器部２１の４方向の側面にそれぞれ、容器部２１の開口面に対して垂直方向を向くＵ字状屈曲部２３が形成されている（図２）。このＵ字状屈曲部２３は容器部２１の側壁部とは別個に形成してもよいが、この実施形態では、Ｕ字状屈曲部２３の片側面が容器部２１の側壁部を形成している。
【００２２】
上記Ｕ字状屈曲部２３は、容器部２１に電池１０が収納されていない空の状態ではやや広幅（ｄ１）のＵ字溝を形成しているが、容器部２１に収納可能な本数の電池１０をすべて収納した状態では、その収納電池１０に押圧されて弾性変形することによりＵ字溝の幅が狭められる（ｄ１からｄ２）。すなわち、Ｕ字状屈曲部２３は、容器部２１内の収納電池１０を容器部２１側方から常時押圧するバネを形成する。
【００２３】
また、上記容器部２１は、図２に示すように、その寸法ｗａ１，ｗｂ１が収納電池１０の寸法ｗａ２，ｗｂ２に対して小さく形成されている。その寸法差（ｗａ２−ｗａ１，ｗｂ２−ｗｂ１）により、電池１０は容器部２１を押し広げながら収納されることになり、容器部２１は押し込まれた電池１０によって内寸法が押し広げられることになる。しかし、その寸法差（ｗａ２−ｗａ１，ｗｂ２−ｗｂ１）による容器部２１の歪みは、Ｕ字状屈曲部２３が形成するＵ字溝幅ｄ１がｄ２に弾性収縮することにより吸収される。つまり、Ｕ字状屈曲部２３は容器部２１の湾曲や膨らみなどの変形を吸収する緩衝帯としても作用する。
【００２４】
これにより、容器部２１に収納された電池１０は、容器部２１の側方から弾性挟持されて安定に保持される。この側方からの弾性挟持により、容器部２１に収納された電池１０は互いに圧接して回転等の移動が規制される。この結果、収納電池１０の外側ラベル面を一定方向に安定に保つことができる良好な保持性を備えることができる。
【００２５】
また、電池１０と容器部２１の寸法差（ｗａ２−ｗａ１，ｗｂ２−ｗｂ１）によるケース２０全体の変形が防止されるので、ブリスターケース２０の周縁部２２を台紙３０に貼着固定した場合は、台紙３０への貼着固定を確実に行わせ、その状態を安定に保持させることができる。
【００２６】
上記Ｕ字状屈曲部２３は、容器部２１の開口面に対して垂直方向を向くが、この方向は、容器部２１を成形加工する際の金型の移動方向と同じである。したがって、そのＵ字状屈曲部２３を容器部２１とともに成形加工する際は、金型を円滑に離型させて生産性を向上させるとともに、肉厚や寸法等の品質も向上させることができる。成形金型は、成型時の移動方向と直交する方向へ突出あるいは陥没する型部を有しなくてもよいので、その作製コストを大幅に低減させることができる。
【００２７】
以上のように、上述した実施形態のブリスターケース２０は、電池の回転防止および脱落防止に有効で、収納電池の外側ラベル面を一定方向に安定に保つことができる良好な保持性を備えるとともに、電池の収納および取り出しの作業性および利便性が良く、また、成型金型の低コスト化と、離型の円滑化による生産性および品質の向上が可能であり、さらに、電池の収納によるケースの変形も有効に防止することができる。
【００２８】
以上、本発明をその代表的な実施例に基づいて説明したが、本発明は上述した以外にも種々の態様が可能である。たとえば、上記Ｕ字状屈曲部２３は、上記容器部２１の少なくとも一つの側面に沿って設けるだけでもよい。
【産業上の利用可能性】
【００２９】
電池の回転防止および脱落防止に有効で、収納電池の外側ラベル面を一定方向に安定に保つことができる良好な保持性を備えるとともに、電池の収納および取り出しの作業性および利便性が良く、また、成型金型の低コスト化と、離型の円滑化による生産性および品質の向上が可能であり、さらに、電池の収納によるケースの変形を防止できるようにした電池用ブリスターケースを提供することができる。
【図面の簡単な説明】
【００３０】
【図１】本発明による電池用ブリスターケースの一実施形態を示す外観図である。
【図２】図１に示したブリスターケースの要部を示す断面図である。
【図３】従来の電池用ブリスターケースの構成例を示す外観図および断面図である。
【符号の説明】
【００３１】
１０  電池
２０  ブリスターケース（本発明）
２１  容器部
２２  フランジ状周縁部
２３  Ｕ字状屈曲部
３０  台紙
２０１  ブリスターケース（従来）
２１１  容器部
２２１  フランジ状周縁部
２３１  リブ
【図１】
2008117571.tif 000003
【図２】
2008117571.tif 000004
【図３】
2008117571.tif 000005